Podtech/llm-jp-corpus-v4-ja_patent huggingface dataset:
【誤訳訂正書】
【提出日】平成28年5月17日(2016.5.17)
【誤訳訂正１】
【訂正対象書類名】明細書
【訂正対象項目名】００６９
【訂正方法】変更
【訂正の内容】
【００６９】
エチルビニルエーテルに対する生成物選択性及び反応性は、対応するエチルアリルエーテルよりも低いと予期される。これは、ビニル基におけるＣ＝Ｃ結合がＣ−Ｏ結合と共役しており、このことが、それをアリル基内のＣ＝Ｃ結合よりも電子的に欠乏した状態にするという事実に起因している。反応後、反応器の中の水溶液を分析して、Ｈ２Ｏ２の残留レベルを求めることができる。反応器内の未反応の過酸化水素は、Ｎａ２ＳＯ３で中和することができる。次いで、反応器内の水溶液及び有機溶液をＧＣで分析することができる。
【誤訳訂正２】
【訂正対象書類名】特許請求の範囲
【訂正対象項目名】全文
【訂正方法】変更
【訂正の内容】
【特許請求の範囲】
【請求項１】
エポキシエチルエーテル又はグリシジルエーテルを製造する方法であって、
水性反応媒体中で水溶性マンガン錯体の存在下にビニルエーテル又はアリルエーテルを酸化剤と反応させることを含み、前記水溶性マンガン錯体は、酸化触媒であり、前記水溶性マンガン錯体が、式（Ｉ）：
［ＬＭｎＸ３］Ｙ（Ｉ）
の単核錯体又は式（ＩＩ）：
［ＬＭｎ（μ−Ｘ）３ＭｎＬ］（Ｙ）ｎ（ＩＩ）
の二核錯体
〔ここで、Ｍｎは、マンガンであり；Ｌは、又は、各Ｌは独立して、多座配位子であり；各Ｘは独立して、ＲＯ−、Ｃｌ−、Ｂｒ−、Ｉ−、Ｆ−、ＮＣＳ−、Ｎ３−、Ｉ３−、ＮＨ３、ＮＲ３、ＲＣＯＯ−、ＲＳＯ３−、ＲＳＯ４−、ＯＨ−、Ｏ２−、Ｏ２２−、ＨＯＯ−、Ｈ２Ｏ、ＳＨ−、ＣＮ−、ＯＣＮ−及びＳ４２−及びそれらの組合せからなる群から選択される配位化学種であり、ここで、Ｒが、アルキル、シクロアルキル、アリール、ベンジル及びそれらの組合せからなる群から選択される炭素原子数が１〜２０の基であり、及び、各μ−Ｘは独立して、ＲＯ−、Ｃｌ−、Ｂｒ−、Ｉ−、Ｆ−、ＮＣＳ−、Ｎ３−、Ｉ３−、ＮＨ３、ＮＲ３、ＲＣＯＯ−、ＲＳＯ３−、ＲＳＯ４−、ＯＨ−、Ｏ２−、Ｏ２２−、ＨＯＯ−、Ｈ２Ｏ、ＳＨ−、ＣＮ−、ＯＣＮ−及びＳ４２−及びそれらの組合せからなる群から選択される配位化学種であり、ここで、Ｒが、アルキル、シクロアルキル、アリール、ベンジル及びそれらの組合せからなる群から選択される炭素原子数が１〜２０の基であり；Ｙは、ＲＯ−、Ｃｌ−、Ｂｒ−、Ｉ−、Ｆ−、ＳＯ４２−、ＲＣＯＯ−、ＰＦ６−、トシラート、トリフラート（ＣＦ３ＳＯ３−）及びそれらの組合せからなる群から選択されるアニオン性非配位対イオンであり、ここで、Ｒは、再度、アルキル、シクロアルキル、アリール、ベンジル及びそれらの組合せからなる群から選択される炭素原子数が１〜２０の基であり、ｎは１又は２である〕であることを特徴とし、また、反応が、１．０から６．０の範囲内のｐＨで実施され、ビニルエーテル又はアリルエーテルと酸化剤のモル比は１：１から１２：１であり、各多座配位子は、独立して、その骨格内に少なくとも７個の原子を含んでいる非環式化合物又はその環内に少なくとも９個の原子を含んでいる環式化合物から選択され、ここで、各多座配位子は３個の窒素原子（窒素原子は少なくとも２個の炭素原子で隔てられている。）を有し、酸化剤は過酸化水素、希過酸化水素、過酸化水素に対する前駆体を含むか、又は有機過酸化物、過酸及びそれらの組み合わせからなる群から選択される、前記方法。
【請求項２】
各多座配位子が、独立して、トリアザシクロノナン又は置換トリアザシクロノナンから選択される、請求項１の方法。
【請求項３】
酸化触媒として二核水溶性マンガン錯体を使用する、請求項１または２の方法。
【請求項４】
前記触媒を、１：１０から１：１０，０００，０００の触媒（Ｍｎ）対酸化剤のモル比で使用する、請求項１から３のいずれか１項の方法。
【請求項５】
前記水性反応媒体が、１０体積％未満の共溶媒を含んでいる水相である、請求項１から４のいずれか１項の方法。
【請求項６】
水性反応媒体が、さらに有機酸−塩の組み合わせの緩衝液系を含む、請求項１から５のいずれか１項の方法。
【請求項７】
反応を、−５℃から４０℃の範囲内の温度で実施する、請求項１から６のいずれか１項の方法。
【請求項８】
酸化剤が過酸化水素を含む、請求項１から７のいずれか１項の方法。
【請求項９】
ビニルエーテル又はアリルエーテルが、分子内に１以上のエーテル基を含有するモノアルコール分子、ジオール分子、トリオール分子、テトラオール分子又はポリオール分子を含む、請求項１から８のいずれか１項の方法。
【請求項１０】
ビニルエーテル又はアリルエーテルが、脂肪族アルコール又は芳香族アルコールを含む、請求項９の方法。
【請求項１１】
ビニルエーテル又はアリルエーテルが、式：
【化１】
2013518836.tif 000001
〔式中、Ｒは、炭素原子が１個以上の２価の基であり、及び、Ｒ’は、炭素原子が１個以上の基である〕
を含んでいる、請求項１から８のいずれか１項の方法。
【請求項１２】
ビニルエーテル又はアリルエーテルが、脂肪族アルコール由来のエーテル類、ポリグリコール由来のエーテル類、脂肪アルコール由来のエーテル類、炭水化物由来のエーテル類、ベンジルアルコール由来のエーテル類、フェノール誘導体由来のエーテル類、ノバラック樹脂（ｎｏｖａｌａｃ  ｒｅｓｉｎｓ）由来のエーテル類及びそれらの組合せから選択される、請求項１１の方法。
【請求項１３】
ビニルエーテル又はアリルエーテルが、ジビニルエーテル、ジアリルエーテル、アリルｎ−ブチルエーテル、ｎ−ブチルビニルエーテル、ビニルアリルエーテル、エチルビニルエーテル、エチレンジビニルジエーテル及びそれらの組合せからなる群から選択される、請求項１１の方法。
【請求項１４】
酸化剤を当該接触酸化の反応速度と等しい速度で水性反応媒体に添加する、請求項１から１３のいずれか１項の方法。
【請求項１５】
ビニルエーテル又はアリルエーテルと酸化剤のモル比が２：１から１０：１である、請求項１から１４のいずれか１項の方法。
【請求項１６】
水性反応媒体が２．０から５．０の範囲のｐＨを有する、請求項１の方法。
【誤訳訂正書】
【提出日】平成28年11月2日(2016.11.2)
【誤訳訂正１】
【訂正対象書類名】明細書
【訂正対象項目名】０３９４
【訂正方法】変更
【訂正の内容】
【０３９４】
この解析の結果を表４に示す。１つの抗体（RPDS-1M7）は、ＳＲＣＲ１ドメイン内へ結合が見られたが、この抗体には、阻害性は見られなかった（実施例３を参照）。ＳＲＣＲ２領域に結合する抗体は、得られなかった。ＳＲＣＲ３領域に結合する７つの抗体（RPDS-1M2, RPDS-1M4, RPDS-1M5, RPDS-1M10, RPDS-1M13, RPDS-1M18, RPDS1-1M26）のうち、どの抗体も阻害性が見られなかった（実施例３を参照）。１つの抗体（LOXL2 RPDS M21
(RPDS-1M21)）が、ＳＲＣＲ３とＳＲＣＲ４の間の配列（ＳＲＣＲ３／４「リンカー（linler）」）に結合することが明らかになり、阻害性が決定された（実施例３、表２を参照）。ＳＲＣＲ４領域に結合する２つの抗体（RPDS-1M14, AB0023）のうち、１つの抗体（AB0023）に阻害性が見られた（実施例３、表２を参照）。
［表４］
2013518903.tif 000001
【誤訳訂正書】
【提出日】平成27年12月22日(2015.12.22)
【誤訳訂正１】
【訂正対象書類名】特許請求の範囲
【訂正対象項目名】全文
【訂正方法】変更
【訂正の内容】
【特許請求の範囲】
【請求項１】
微小孔性炭素を含む電気二重層キャパシタ用電極であって、前記微小孔性炭素が、
０．３ｃｍ3／ｇ以上の総細孔容積を与える１ｎｍ以下のサイズを有する細孔、
０．０５ｃｍ3／ｇ以上の総細孔容積を与える１ｎｍ超から２ｎｍ以下のサイズを有する細孔、
０．１５ｃｍ3／ｇ未満の総細孔容積を与える２ｎｍ超のサイズを有する細孔、および
８０Ｆ／ｃｍ3より大きい容積比静電容量、
を含み、
２ｎｍ以下のサイズを有する細孔から生じる全細孔容積の部分は少なくとも９５％であり、
前記各細孔のサイズは、Ｎ２吸着を使用して決定し、スリット細孔を想定して密度汎関数理論（ＤＦＴ）を使用して計算することを特徴とする電気二重層キャパシタ用電極。
【請求項２】
前記１ｎｍ以下のサイズを有する細孔が、０．４ｃｍ3／ｇ以上の総細孔容積を与えることを特徴とする請求項１記載の電気二重層キャパシタ用電極。
【請求項３】
前記１ｎｍ超から２ｎｍ以下のサイズを有する細孔が、０．１ｃｍ3／ｇ以上の総細孔容積を与えることを特徴とする請求項１記載の電気二重層キャパシタ用電極。
【請求項４】
前記微小孔性炭素が、０．４５ｃｍ3／ｇ以上の全細孔容積を含むことを特徴とする請求項１記載の電気二重層キャパシタ用電極。
【請求項５】
前記微小孔性炭素が、３質量％未満の酸素含有量を有することを特徴とする請求項１記載の電気二重層キャパシタ用電極。
【誤訳訂正２】
【訂正対象書類名】明細書
【訂正対象項目名】００４３
【訂正方法】変更
【訂正の内容】
【００４３】
（式中、Ｃsp,1およびＣsp,2は、個別の炭素電極の比静電容量（Ｆ／ｃｍ3で表される）であり、Ｖ1およびＶ2は対応する電極体積である。）
として炭素電極の体積当たりの比静電容量に関連付けられる。試験される電池は、同じサイズと組成を有する電極を使用するので、Ｃ1＝Ｃ2、Ｃsp,1＝Ｃsp,2（＝Ｃsp）およびＶ1＝Ｖ2（＝Ｖtotal／２、式中、Ｖtotalは、電池中の炭素電極の全容積（ｃｍ3）である）。式（３）、（４）および（５）を組み合わせて、
【数６】
2013518413.tif 000001
【誤訳訂正書】
【提出日】平成27年12月18日(2015.12.18)
【誤訳訂正１】
【訂正対象書類名】明細書
【訂正対象項目名】０００５
【訂正方法】変更
【訂正の内容】
【０００５】
合成開口ビーム形成は、小振動が受信信号において位相ずれを生じさせ得る高周波数超音波撮像での使用には適さない。合成開口ビーム形成ではフル2D画像を生成するための高フレーム率を生み出すことができるが、ビーム形成遅延が挿入される前にすべての素子が個別にパルス化される必要がある。これが意味するのは、このビーム形成法が、ビーム形成される前の信号の取得の間に経過する時間量が大きいことによる画像ひずみに影響されやすいことである。しかし、この画像ひずみは、送信焦点領域ビーム形成を実施するときには回避される。1送信イベントごとに1本のA走査線しか収集できないが、小さいモーションアーチファクトに起因する画像ひずみは、ビーム形成イベント相互間に経過する時間量が小さいために回避される。残念ながら位相コヒーレンス撮像では、送信ビーム形成がグレーティングローブ領域において非常に長いパルスを生じさせ、それらのパルスがアレイ素子へ戻る際に非常に長い狭帯域受信パルスを生じさせる。それゆえに、位相コヒーレンス補正率が主ローブと同じ時間領域における受信エコーから計算されるときには、もはやいかなるランダム位相も存在しない。というのは、すべての長いグレーティング・ローブ・エコーが今やオーバーラップし、ある期間にわたって事実上すべて同相になるからである。
【誤訳訂正２】
【訂正対象書類名】明細書
【訂正対象項目名】００１７
【訂正方法】変更
【訂正の内容】
【００１７】
様々な局面において、送信グレーティングローブ信号の時間長を低減するために、送信開口（N個の素子）をN/K個の送信素子へ分割し、全N個の素子上で受信ビーム形成するための方法が提供される。この方法は、位相コヒーレンス撮像における合成開口ビーム形成の使用を不要にする。ある局面では、受信信号は、グレーティングローブを抑圧するために、各送信・受信イベント後に計算されたSCFによって重み付けされる。すべての部分開口をパルス化した後で、RF信号を追加して画像の1ラインを生成することができる。異なるK値についての二方向放射パターンのシミュレーションによれば、グレーティングローブは異なる操向角度において大幅に抑圧され得る。局面によっては、本開示は、最適な送信部分開口を決定する技法を提供する。
【誤訳訂正３】
【訂正対象書類名】明細書
【訂正対象項目名】００４１
【訂正方法】変更
【訂正の内容】
【００４１】
前述のように、合成開口ビーム形成は、信号がビーム形成される前に多くの送信イベントが必要とされるため大きな不都合点を有する。したがって、ビーム形成される前の信号は、比較的長いパルス化シーケンスの間の小組織の運動からの位相ひずみに影響されやすい。高周波数アレイは小組織の運動に対して特に敏感である。というのは、波長が極端に短く、したがって、少量の組織運動がエコー位相の大きな変化をもたらすからである。送信ビーム形成は、ビーム形成間の長いパルス化シーケンスが不要であるため、これらの位相ひずみを回避する。本開示の方法は、有利なことに、合成開口ビーム形成の使用を必要とせずに、グレーティングローブの時間領域を短縮する。
【誤訳訂正４】
【訂正対象書類名】明細書
【訂正対象項目名】００４２
【訂正方法】変更
【訂正の内容】
【００４２】
しかし、送信ビーム形成がピッチの大きいフェーズドアレイのために求められる場合には、SCFの有効性を増大させるための新しい方法が必要である。送信ビーム形成を使用するアレイにSCFを適用する際の根底にある問題は、グレーティングローブ領域をもたらす長い時間伸長信号であるため、より短い時間領域信号を生成する方法では、受信時にオーバーラップする受信エコーの数がより少なくなるべきであり、よって、SCF重み付け法はより効果的でなければならない。時間領域信号の長さは、アレイ内の最も近い素子と最も遠い素子との到着時刻の差にほぼ等しいため、発明者らは、グレーティングローブ領域における時間伸長信号の長さを短縮するために、送信開口を、Kが2からN（素子の数）まで変動する可能性を有するK個の部分開口へ分割する非常に単純な解決策を提案する（図7（A））。信号がビーム形成される前に経過する総時間量を最小化するためにKを可能な限り低く保つことが望ましい。これもやはり、組織運動に起因するビーム形成される前の信号間の位相収差の量を低減する。
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
式１
【化１】
2016503058.tif 000001
の化合物又はその塩、
医薬的に許容される担体、及び
チオ硫酸塩
を含む組成物であって、約40℃の温度で少なくとも1ヶ月間保存した場合に、約1%未満の前記式１の化合物の総分解産物を有するものである、組成物。
【請求項２】
前記医薬的に許容される担体が水性の担体である、請求項１に記載の組成物。
【請求項３】
前記チオ硫酸塩が約0.01%w/v〜約0.5%w/vの量で存在し、好ましくは前記チオ硫酸塩が約0.3%w/vの量で存在する、請求項１又は２に記載の組成物。
【請求項４】
前記チオ硫酸塩がチオ硫酸ナトリウムである、請求項１〜３のいずれか一項に記載の組成物。
【請求項５】
約6.0〜約8.5のpHに緩衝化される、請求項１〜４のいずれか一項に記載の組成物。
【請求項６】
前記式１の化合物が約1%w/v〜約5%w/vの量で存在し、好ましくは前記式１の化合物が約5%w/vの量で存在する、請求項１〜５のいずれか一項に記載の組成物。
【請求項７】
約40℃の温度で、1ヶ月間、2ヶ月間、3ヶ月間、約4ヶ月間、5ヶ月間、及び6ヶ月間から成る群から選択される期間での保存において、約1%未満の前記式１の化合物の総分解産物を示す、請求項１〜６のいずれか一項に記載の組成物。
【請求項８】
スパージングされた窒素ガスをさらに含む、請求項１〜７のいずれか一項に記載の組成物。
【請求項９】
式１
【化２】
2016503058.tif 000002
の化合物、又はその塩を含む組成物を安定化させる方法であって、
(i)前記式１の化合物を水又は水性の担体に溶解する工程、
(ii)１以上の医薬的に許容される成分を、工程(i)の前、後、又は工程(i)と同時に加える工程であって、前記医薬的に許容される成分がチオ硫酸塩を含む工程、及び
(iii)前記組成物を少なくとも1ヶ月間保存する工程
を含み、前記組成物が、約40℃の温度で少なくとも1ヶ月間保存した場合に、約1%未満の前記式１の化合物の総分解産物を示す、方法。
【請求項１０】
前記チオ硫酸塩が、チオ硫酸ナトリウムであり、約0.3%w/vの量で存在する、請求項９に記載の方法。
【請求項１１】
前記医薬的に許容される成分が、前記組成物のpHを約6.0〜約8.5にする緩衝成分を含む、請求項９又は１０に記載の方法。
【請求項１２】
前記式１の化合物が約1%w/v〜約5%w/vの量で存在する、請求項９〜１１のいずれか一項に記載の方法。
【請求項１３】
必要とする対象の眼疾患を治療する方法において使用するための、請求項１〜８のいずれか一項に記載の組成物であって、前記方法が有効量の前記組成物を対象に投与する工程を含む、組成物。
【請求項１４】
前記眼疾患がドライアイ疾患である、請求項１３に記載の組成物。
【請求項１５】
前記投与する工程が眼への局所投与を含む、請求項１３に記載の組成物。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
第１のｐＨを有する過酸素化合物を含有する第１成分と、
第２のｐＨを有するピロリン酸の２以上の塩の混合物を含有する第２の成分とを、含有し、
前記第２のｐＨが第１のｐＨより高くかつ１０．０未満であり、
第１の成分と第２の成分とを組合せた時に、第１の成分と第２の成分がｐＨ７．５〜８．５を有する歯−ホワイトニング組成物を形成し、
第１の成分のｐＨが７．０以下であり、
および第２の成分がピロリン酸四ナトリウムおよびピロリン酸二ナトリウムを２０：１〜１：２０の比率で含有する二成分オーラルケアシステム。
【請求項２】
第２の成分がピロリン酸四ナトリウムおよびピロリン酸二ナトリウムを１７：１〜１：１７の比率で含有する請求項１記載のオーラルケアシステム。
【請求項３】
第１の成分と第２の成分を組合せた時に、約ｐＨ８．０を有する歯−ホワイトニング組成物を形成する請求項１または２記載のオーラルケアシステム。
【請求項４】
第１成分が１％未満の遷移金属イオン、金属酸化物（例えば二酸化チタンまたは二酸化マグネシウム）を含有する請求項１〜３のいずれかに記載のオーラルケアシステム。
【請求項５】
第１成分が０．１％未満の遷移金属イオン、金属酸化物（例えば二酸化チタンまたは二酸化マグネシウム）を含有する請求項１〜４のいずれかに記載のオーラルケアシステム。
【請求項６】
第１成分が遷移金属イオン、金属酸化物（例えば二酸化チタンまたは二酸化マグネシウム）を実質上有さない請求項１〜５のいずれかに記載のオーラルケアシステム。
【請求項７】
第１成分のｐＨが１．０〜７．０である請求項１〜６のいずれかに記載のオーラルケアシステム。
【請求項８】
第１成分のｐＨが４．０〜７．０である請求項１〜７のいずれかに記載のオーラルケアシステム。
【請求項９】
第１成分のｐＨが４．０〜６．８である請求項１〜８のいずれかに記載のオーラルケアシステム。
【請求項１０】
第１成分のｐＨが４．５〜５．５である請求項１〜９のいずれかに記載のオーラルケアシステム。
【請求項１１】
第１成分のｐＨが４．８〜５．２である請求項１〜１０のいずれかに記載のオーラルケアシステム。
【請求項１２】
第１成分のｐＨが約５．０である請求項１〜１１のいずれかに記載のオーラルケアシステム。
【請求項１３】
第２の成分のｐＨが７．１〜９.０未満である請求項１〜１２のいずれかに記載のオーラルケアシステム。
【請求項１４】
第２の成分のｐＨが７．５〜９．０未満である請求項１〜１３のいずれかに記載のオーラルケアシステム。
【請求項１５】
第２の成分のｐＨが７．５〜８．５である請求項１〜１４のいずれかに記載のオーラルケアシステム。
【請求項１６】
第２の成分のｐＨが約８．０である請求項１〜１５のいずれかに記載のオーラルケアシステム。
【請求項１７】
過酸素化合物が過酸化物、過ホウ酸塩、過炭酸塩、過硫酸塩、過リン酸塩、過珪酸塩、過酸およびそれらの組合せの一つ以上から選択される請求項１〜１６のいずれかに記載のオーラルケアシステム。
【請求項１８】
過酸素化合物が過酸化物である請求項１〜１７のいずれかに記載のオーラルケアシステム。
【請求項１９】
過酸素化合物が過酸化水素である請求項１〜１８のいずれかに記載のオーラルケアシステム。
【請求項２０】
過酸素化合物が歯ホワイトニング組成物の総重量に基いて０．０１〜２０重量％の量で存在する請求項１〜１９のいずれかに記載のオーラルケアシステム。
【請求項２１】
過酸素化合物が歯ホワイトニング組成物の総重量に基いて０．０１〜１０重量％の量で存在する請求項１〜２０のいずれかに記載のオーラルケアシステム。
【請求項２２】
過酸素化合物が歯ホワイトニング組成物の総重量に基いて０．０１〜７．５重量％の量で存在する請求項１〜２１のいずれかに記載のオーラルケアシステム。
【請求項２３】
過酸素化合物が歯ホワイトニング組成物の総重量に基づいて０．０１〜３重量％の量で存在する過酸化水素である請求項１〜２２のいずれかに記載のオーラルケアシステム。
【請求項２４】
歯ホワイトニング組成物がマウスウォッシュである請求項１〜２３のいずれかに記載のオーラルケアシステム。
【請求項２５】
第１のｐＨが酸性であり、
第２のｐＨはアルカリ性であり、
第１および第２の成分の組合せのｐＨがアルカリ性であり、
第２の成分が緩衝剤の働きをし、
第１および第２の成分の組合せが第２の成分のｐＨ以下であるｐＨを有する請求項１〜２４のいずれかに記載のオーラルケアシステム。
【請求項２６】
第１の成分の粘度が第２の成分の粘度より小さい請求項１〜２５のいずれかに記載のオーラルケアシステム。
【請求項２７】
第１の成分の粘度が第２の成分の粘度と同じである請求項１〜２６のいずれかに記載のオーラルケアシステム。
【請求項２８】
歯をホワイトニングする方法において使用するためのものであって、方法が
過酸素化合物を含有し第１のｐＨを有する第１の成分と、
第２のｐＨを有するピロリン酸の２以上の塩の混合物を含有する第２の成分とを、組み合わせ、
その際に第２のｐＨが第１のｐＨより高くかつ１０．０未満であり、
これによりｐＨ７．５〜８．５を有する歯−ホワイトニング組成物を形成し、
第１の成分のｐＨが７．０以下であり、
および第２の成分がピロリン酸四ナトリウムおよびピロリン酸二ナトリウムを２０：１〜１：２０の比率で含有する請求項１〜２７のいずれかに記載のオーラルケアシステム。
【請求項２９】
歯−ホワイトニング組成物が第１の成分と第２の成分とを組合せて５分以内に歯に適用される請求項１〜２８記載のオーラルケアシステム。
【請求項３０】
歯−ホワイトニング組成物が第１の成分と第２の成分とを組合せて３分以内に歯に適用される請求項１〜２９のいずれかに記載のオーラルケアシステム。
【請求項３１】
歯−ホワイトニング組成物が第１の成分と第２の成分とを組合せて２分以内に歯に適用される請求項１〜３０のいずれかに記載のオーラルケアシステム。
【請求項３２】
歯−ホワイトニング組成物が第１の成分と第２の成分とを組合せて１分以内に歯に適用される請求項１〜３１のいずれかに記載のオーラルケアシステム。
【請求項３３】
歯−ホワイトニング組成物が第１の成分と第２の成分とを組合せて３０秒以内に歯に適用される請求項１〜３２のいずれかに記載のオーラルケアシステム。
【請求項３４】
歯−ホワイトニング組成物が第１の成分と第２の成分とを組合せて１５秒以内に歯に適用される請求項１〜３３のいずれかに記載のオーラルケアシステム。
【請求項３５】
請求項１〜２７のいずれかに記載の二成分オーラルケアシステムの歯のホワイトニングのための使用。
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
一般式(I)
【化１】
2016503052.tif 000001
（式中、
R1は水素、場合により置換された(C1-C10)アルキル基、(C2-C10)アルケニル基、(C2-C10)アルキニル基、(C3-C8)シクロアルキル基、(C5-C8)シクロアルケニル基、アリール基、ヘテロアリール基、ヘテロシクリル基、アラルキル基、シクロアルカニルアルキル基、ヘテロアラルキル基、又はヘテロシクリルアルキル基を表し、
R2は水素、場合により置換されたアルキル基、シクロアルキル基、アリール基、ヘテロアリール基、ヘテロシクリル基、又はアシル基を表し、
R3及びR4は、互いに独立して水素、場合により置換されたアルキル基、シクロアルキル基、アリール基、ヘテロシクリル基、若しくはヘテロアリール基を表すか、又はR3及びR4は、これらが結合している炭素原子と一緒にシクロアルキル基若しくはヘテロシクリル基を形成し、ここで、前記ヘテロシクリル基はＯ、Ｎ、及びＳから選択される１以上のヘテロ原子をさらに含んでいてもよく、
R5は-OR6、-COOR6、-NR7COR6、及び-NR7SO2R6より成る群から選択され、ここで、R6及びR7のそれぞれは、各出現ごとに独立して、水素、場合により置換された、アルキル基、シクロアルキル基、アリール基、ヘテロシクリル基、及びヘテロアリール基から選択される基より成る群から選択され、
「A」は、5〜7員の飽和又は不飽和の炭素環又は複素環系であり、前記複素環は、N、O、又はS(O)mから選択される１以上のヘテロ原子をさらに含み、「Ａ」で表される前記環は、R8で表される置換基の群から選択される１以上の置換基でさらに置換され、「m」は0〜2の整数を表し、「n」は1〜4の整数を表す）
の化合物。
【請求項２】
R1が、(C1-C10)アルキル基、(C2-C10)アルケニル基、(C2-C10)アルキニル基、(C3-C8)シクロアルキル基、シクロアルカニルアルキル基、アリール基、ヘテロアリール基、ヘテロシクリル基、アラルキル基、及びヘテロシクリルアルキル基から選択される、請求項１に記載の化合物。
【請求項３】
R2が、水素、場合により置換されたアルキル基、シクロアルキル基、及びアシル基から選択される、請求項１に記載の化合物。
【請求項４】
R3及びR4が、独立して水素、場合により置換されたアルキル基、シクロアルキル基から選択されるか、又はR3及びR4が、これらが結合している炭素原子と一緒になってシクロアルキル又はヘテロシクリル環を形成する、請求項１に記載の化合物。
【請求項５】
R5が、-OR6、-NR7COR6、及び-NR7SO2R6から成る群から選択され、ここで、R6及びR7は前記請求項で定義したとおりである、請求項１に記載の化合物。
【請求項６】
R8が、水素、ヒドロキシ、シアノ、ハロ、ハロアルキル、(C1-C10)アルキル、(C2-C10)アルケニル、(C2-C10)アルキニル、(C3-C8)シクロアルキル、アリール、ヘテロシクリル、ヘテロアリール、アラルキル、ヘテロシクリルアルキル、-COR9、-COOR9、-OR9、-S(O)mR9、-NR9R10、-CONR9R10、-N(R9)COR10、-N(R9)COOR10、-OCH2COR9、-N(R9)CH2COR10、-N(R9)CONR9R10、-SO2NR9R10、-N(R9)SO2R10誘導体から成る群から選択され、
R9及びR10のそれぞれは、各出現ごとに独立して、水素、ヒドロキシ、アルコキシ、ハロアルキル、場合により置換された(C1-C10)アルキル基、(C2-C10)アルケニル基、(C2-C10)アルキニル基、(C3-C8)シクロアルキル基、(C5-C8)シクロアルケニル基、場合により置換されたアミノ基、アリール基、ヘテロアリール基、ヘテロシクリル基、アラルキル基、若しくはヘテロシクリルアルキル基を表すか、又は可能な場合、R9及びR10はこれらが結合している原子と一緒に、-O-、-NR7-、及びS(O)mから選択される０〜２個の追加のヘテロ原子を含む５〜８員環を形成することができ、ここで、R7及びmは前記請求項で定義したとおりである、請求項１に記載の化合物。
【請求項７】
R1又はR8における前記置換基が、水素、ヒドロキシ、シアノ、ハロ、ニトロ、オキソ、イミノ、ハロアルキル、(C1-C10)アルキル、(C2-C10)アルケニル、(C2-C10)アルキニル、(C3-C8)シクロアルキル、アリール、ヘテロシクリル、ヘテロアリール、アラルキル、ヘテロシクリルアルキル、-COR9、-C(O)COR9、-COOR9、-OR9、-S(O)mR9、-NR9R10、-CONR9R10、-N(R9)COR10、-N(R9)COOR10、-NR9NR10COR9、-OCH2COR9、-N(R9)CH2COR10、-N(R9)CONR9R10、-P(O)(OR10)2、-SO2NR9R10、及び-N(R9)SO2R10誘導体から独立して選択され、ここで、R9及びR10は前記請求項で定義したとおりである、請求項１に記載の化合物。
【請求項８】
以下の群から選択される、請求項１に記載の化合物。
【表１】
2016503052.tif 000002
【表２】
2016503052.tif 000003
【表３】
2016503052.tif 000004
【表４】
2016503052.tif 000005
【表５】
2016503052.tif 000006
【表６】
2016503052.tif 000007
【表７】
2016503052.tif 000008
【請求項９】
治療上有効量の請求項１〜８のいずれか一項に記載の式（Ｉ）の化合物と、場合により１以上の医薬的に許容される担体、希釈剤、又は賦形剤とを含む、医薬組成物。
【請求項１０】
必要な患者に有効量の請求項１〜８のいずれか一項に記載の式（Ｉ）の化合物又はその適当な医薬組成物を投与することを含む、患者における貧血の治療方法。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
（ｉ）過酸化水素と複合された架橋ポリビニルピロリドンのホワイトニング複合体を含む過酸化物ホワイトニング剤、（ｉｉ）当該組成物の重量に基づいて、０．０５重量％〜５重量％の量の酸性ピロリン酸ナトリウム（Ｎａ２Ｈ２Ｐ２Ｏ７）、および（ｉｉｉ）当該組成物の重量に基づいて、３重量％未満の水を含む、オーラルケア組成物。
【請求項２】
前記酸性ピロリン酸ナトリウム（Ｎａ２Ｈ２Ｐ２Ｏ７）が、当該組成物の重量に基づいて、０．１重量％〜５重量％の量または０．１重量％〜３重量％の量で存在する、請求項１記載の組成物。
【請求項３】
前記過酸化水素と複合された架橋ポリビニルピロリドンのホワイトニング複合体が、当該組成物の重量に基づいて、３重量％〜１５重量％の量または５重量％〜１２重量％の量で存在する、請求項１または２に記載の組成物。
【請求項４】
前記ホワイトニング複合体が、該ホワイトニング複合体の重量に基づいて、１０〜３０重量％の過酸化水素、および５〜１５重量％の全窒素を含む、請求項３に記載の組成物。
【請求項５】
前記過酸化水素の総量が、当該組成物の重量に基づいて０．５重量％〜３重量％である、請求項１〜４のいずれか一項に記載の組成物。
【請求項６】
さらに、ピロリン酸四ナトリウムおよびトリポリリン酸ナトリウムから選択されるタータ・コントロール試薬またはそれらの混合物、あるいは、組成物の重量に基づいて１〜２重量％のピロリン酸四ナトリウムを含む、請求項１〜５のいずれか一項に記載の組成物。
【請求項７】
さらに、か焼アルミナ、シリカ、酸化ジルコニウム、ピロリン酸カルシウム、リン酸二カルシウムおよび沈降炭酸カルシウムの少なくとも１つから選択される研磨剤、またはそれらの２つまたはそれ以上のいずれかの混合物を含む、請求項１〜６のいずれか一項に記載の組成物。
【請求項８】
前記研磨剤が当該組成物の重量に基づいて５重量％〜４０重量％の量、あるいは、ピロリン酸カルシウムが当該組成物の重量に基づいて１２重量％〜３７重量％の量で存在する、請求項７に記載の組成物。
【請求項９】
さらに、グリセリンおよびプロピレングリコールから選択される少なくとも１つの湿潤剤、またはそれらの混合物を含む、請求項１〜８のいずれか一項に記載の組成物。
【請求項１０】
前記少なくとも１つの湿潤剤が、当該組成物の重量に基づいて、２５重量％〜６０重量％の量または２５重量％〜４５重量％の量で存在する、請求項９に記載の組成物。
【請求項１１】
プロピレングリコールを、当該組成物の重量に基づいて１５重量％〜３０重量％の量で含む、請求項９または１０に記載の組成物。
【請求項１２】
グリセリンを、当該組成物の重量に基づいて５重量％〜２０重量％の量で含む、請求項９〜１１のいずれか一項に記載の組成物。
【請求項１３】
さらに、５０００Ｄａ未満の平均分子量の酸化エチレン・酸化プロピレンブロック共重合体を実質的に含まない、５０００Ｄａ超の平均分子量の酸化エチレン・酸化プロピレンブロック共重合体または５０００Ｄａ超の平均分子量の（酸化エチレン）ｘ−（酸化プロピレン）ｙ［ここで、ｘが８０〜１５０の整数であり、ｙが３０〜８０の整数である］を含む酸化エチレン・酸化プロピレンブロック共重合体を含む、請求項１〜１２のいずれか一項に記載の組成物。
【請求項１４】
前記酸化エチレン・酸化プロピレンブロック共重合体が、組成物の重量に基づいて、５重量％〜１２重量％の量で存在する、請求項１３に記載の組成物。
【請求項１５】
さらに、平均分子量４００〜８００Ｄａのポリエチレングリコールまたは当該組成物の重量に基づいて５重量％〜１５重量％の量で存在する平均分子量４００〜８００Ｄａのポリエチレングリコールを含む、請求項１〜１４のいずれか一項に記載の組成物。
【請求項１６】
さらに、架橋ポリビニルピロリドンおよびヒュームドシリカから選択される増粘剤またはそれらの混合物、あるいは、当該組成物の重量に基づいて１重量％〜５重量％の量で存在する架橋ポリビニルピロリドンおよびヒュームドシリカから選択される増粘剤またはそれらの混合物を含む、請求項１〜１５のいずれか一項に記載の組成物。
【請求項１７】
当該組成物の重量に基づいて２重量％未満の水を含む、請求項１〜１６のいずれか一項に記載の組成物。
【請求項１８】
単相組成物である、請求項１〜１７のいずれか一項の組成物。
【請求項１９】
請求項１〜１８のいずれか一項に記載の組成物を哺乳動物の歯の表面に適用することを含む、歯を白くする方法。
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
グルコースホメオスタシス障害に関連する症状の治療用の医薬組成物であって、
エクスビボでの培養物である膵臓島外管組織のプロトンポンプ阻害剤への接触によって得られたベータ細胞を含み、前記プロトンポンプ阻害剤の量が、前記膵臓島外管組織からベータ細胞を形成するのに有効量である医薬組成物。
【請求項２】
前記膵臓島外管組織がさらなるベータ再生作用物質との接触によって得られたベータ細胞を含み、前記さらなるベータ再生作用物質の量が、ベータ細胞を形成するのに有効量である請求項１に記載の医薬組成物。
【請求項３】
前記さらなるベータ再生作用物質が、ＲｅｇペプチドまたはＲｅｇペプチドの製剤もしくはペプチド模倣薬である請求項２に記載の医薬組成物。
【請求項４】
前記ベータ細胞が、経口、静脈内、皮下または動脈内の投与用に製剤化されている請求項１に記載の医薬組成物。
【請求項５】
前記ベータ細胞が、臍静脈、門脈または肝臓動脈を通しての送達用に製剤化されている請求項１に記載の医薬組成物。
【請求項６】
前記ベータ細胞が、膵臓または肝臓への直接送達用に製剤化されている請求項１に記載の医薬組成物。
【請求項７】
グルコースホメオスタシス傷害に関連する前記症状が、新たなおよび既存の１型および２型糖尿病、糖尿病前症、ベータ細胞欠乏症、インスリン抵抗性または糖代謝障害である請求項１に記載の医薬組成物。
【請求項８】
グルコースホメオスタシス傷害に関連する前記症状が、自己免疫に関連し、前記ベータ細胞の前におよび／またはそれと並行して免疫寛容作用物質が投与される請求項１に記載の医薬組成物。
【請求項９】
グルコースホメオスタシス傷害に関連する前記症状が、１型糖尿病またはＬＡＤＡである請求項８に記載の方法。
【請求項１０】
前記免疫寛容作用物質が、シクロスポリン、ｈＯＫＴ３γ１、ＣｈＡｇｌｙＣＤ３、ラパマイシン、タクロリムス、エタネルセプト、アレファセプト、ベラタセプト、Ｄｉａｐｅｐ２７７、結核ワクチン、グルタミン酸デカルボキシラーゼ６５（ＧＡＤ６５）ワクチン；カルメット−ゲラン杆菌ワクチン、単独のまたはダクリズマブと併用するミコフェノール酸モフェチル、リツキシマブ；キャンパス−１Ｈ、リソフィリン、抗胸腺細胞グロブリン、プロロイキンならびにプロロイキンおよびラパミューンの併用、ビタミンＤ、ＩＢＣ−ＶＳＯワクチン、エクスビボ増殖ヒト自己由来ＣＤ４＋ＣＤ１２７ｌｏ／−ＣＤ２５＋ポリクローナル調節性Ｔ細胞、インターフェロン−アルファ；ＣＤ４＋ＣＤ２５＋抗原特異的調節性Ｔ細胞を使用するワクチン、インターロイキン−１受容体アンタゴニスト（アナキンラ）、ならびにアルファ１−抗トリプシンから選択される請求項８に記載の医薬組成物。
【請求項１１】
前記免疫寛容作用物質が、シクロスポリンである請求項８に記載の医薬組成物。
【請求項１２】
ＰＰＩもしくは少なくとも１つの他のベータ再生作用物質またはその両方を、新たなベータ細胞の形成刺激のために併用される請求項１に記載の医薬組成物。
【請求項１３】
グルコースホメオスタシス傷害に関連する前記症状が、糖尿病前症または新たに発症したもしくは先在する２型糖尿病である請求項１２に記載の医薬組成物。
【請求項１４】
糖尿病用薬未治療患者用の請求項１３に記載の医薬組成物。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
水の存在中でのブラッシング時に崩壊する、口腔的に許容可能な非水溶性フィルムであって、ポリマーマトリックス、ポリマーマトリックス中に組み入れられた放出可能な材料および可塑剤を含有し、ポリマーマトリックスは、少なくとも５０％のポリ（ビニルアルコール）と５０％以下の水溶性セルロースエーテルを含有し、さらにフィルムはブラッシングしなければ崩壊しないことを特徴とするフィルム。
【請求項２】
放出可能な材料は、顔料または顔料の組み合わせである請求項１に従うフィルム。
【請求項３】
水溶性セルロースエーテルは、ヒドロキシアルキルセルロースまたはヒドロキシアルキルセルロースの混合物である請求項１または２に従うフィルム。
【請求項４】
水溶性セルロースエーテルは、ヒドロキシプロピルメチルセルロースである請求項１〜３のいずれかに従うフィルム。
【請求項５】
可塑剤は、ソルビトール、プロピレングリコール、グリセロール、低分子量ポリエチレングリコール、およびその混合物から選択されるポリアルコールである請求項１〜４のいずれかに従うフィルム。
【請求項６】
可塑剤は、プロピレングリコールである請求項１〜５のいずれかに従うフィルム。
【請求項７】
非イオン性界面活性剤または乳化剤をさらに含有する請求項１〜６のいずれかに従うフィルム。
【請求項８】
非イオン性界面活性剤または乳化剤はポリソルベートである請求項７に従うフィルム。
【請求項９】
フィルムは、顔料を含有するパウダーコーティングでコーティングされる請求項１〜８のいずれかに従うフィルム。
【請求項１０】
放出可能な材料は非水溶性抗菌剤を含有する請求項１〜９のいずれかに従うフィルム。
【請求項１１】
フィルムは水の存在中で、３０秒以上で１８０秒以下のブラッシング時間後に実質的に崩壊する請求項１〜１０のいずれかに従うフィルム。
【請求項１２】
フィルムの平均厚さは１〜３ｍｉｌである請求項１〜１１のいずれかに従うフィルム。
【請求項１３】
ポリマーマトリックスは少なくとも７５％のポリ（ビニルアルコール）および２５％以下の水溶性セルロースエーテルを含有する請求項１〜１２のいずれかに従うフィルム。
【請求項１４】
１〜１０重量％の水溶性セルロースエーテル、
３０〜６０重量％のポリ（ビニルアルコール）、
２０〜６０重量％の放出可能な材料、
１０〜３０重量％の可塑性、および
１〜５重量％の界面活性剤
を含有する請求項１〜１３のいずれかに従うフィルム。
【請求項１５】
３〜７重量％のヒドロキシプロピルメチルセルロース（ＨＰＭＣ）、
４０〜５０重量％のポリ（ビニルアルコール）、
３５〜４５重量％の顔料、
１５〜２０重量％のプロピレングリコール、および
２〜３重量％のポリソルベート８０
を含有する請求項１〜１４のいずれかに従うフィルム。
【請求項１６】
口腔に塗布しブラッシングすると、少なくとも３０秒で約１８０秒以下の後にフィルムは崩壊し、放出可能な材料を放出する請求項１〜１５のいずれかに従う口腔的に許容可能なフィルムの粒子を含有する歯磨き剤。
【請求項１７】
放出可能な材料は顔料であり、顔料の放出が使用者への適度なブラッシングの色による合図を提供する請求項１６の歯磨き剤。
【請求項１８】
透明なジェルの歯磨きペーストであり、内部にフィルム粒子が見られる請求項１６または請求項１７の歯磨き剤。
【請求項１９】
請求項１６〜１８のいずれかに従う歯磨き剤を用いてブラッシングし、これによってフィルムを破壊し放出可能な材料を放出することを包含する歯の洗浄方法。
【請求項２０】
口腔的に許容可能なフィルムはフィルム内に顔料を含有し、フィルムが崩壊し、顔料が使用者への適度なブラッシングの色による合図を提供するまで、ブラッシングを続ける請求項１９の方法。
【請求項２１】
ポリ（ビニルアルコール）、水溶性セルロースエーテル、放出可能な材料、可塑剤および任意の界面活性剤の水性スラリーを形成し、スラリーを乾燥してフィルムを形成することを包含する請求項１〜請求項１５のいずれかに従うフィルム製造方法。
【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
亜鉛化合物および研磨剤を含有する歯磨剤組成物であって、研磨剤が研磨剤シリカおよび炭酸カルシウムを含有し、組成物が歯を白くして、エナメル質を強化することを特徴とする歯磨剤組成物。
【請求項２】
研磨剤が組成物の重量の１０重量％〜４５重量％の量で存在する請求項１記載の組成物。
【請求項３】
研磨剤が組成物の重量で２５重量％〜４５重量％の量で存在する請求項２記載の組成物。
【請求項４】
亜鉛化合物が０．１重量％〜５重量％、０．２重量％〜３重量％および０．５重量%および２重量％からなる群から選択される範囲の量で存在する請求項１〜３のいずれかに記載の組成物。
【請求項５】
亜鉛化合物が、酢酸亜鉛、ホウ酸亜鉛、酪酸亜鉛、炭酸亜鉛、クエン酸亜鉛、蟻酸亜鉛、グルコン酸亜鉛、グリセリン亜鉛、グリコール酸亜鉛、乳酸亜鉛、酸化亜鉛、リン酸亜鉛、ピコリン酸亜鉛、プロプリオン酸亜鉛（ｚｉｎｃ  ｐｒｏｐｒｉｏｎａｔｅ）、サリチル酸亜鉛、ケイ酸亜鉛、ステアリン酸亜鉛、酒石酸亜鉛、ウンデシレン酸亜鉛およびそれらの混合物からなる群から選択される請求項１〜４のいずれかに記載の組成物。
【請求項６】
亜鉛化合物が２つの亜鉛化合物の混合物であって、化合物の重量比が１：４〜６：１、１：３〜５：１および１：２〜４：１からなる群から選択される範囲であってもよい請求項１〜５のいずれかに記載の組成物。
【請求項７】
２つの亜鉛化合物の混合物が１：２〜４：１の重量比のクエン酸亜鉛と酸化亜鉛である請求項１〜６のいずれかに記載の組成物。
【請求項８】
炭酸カルシウムが天然の炭酸カルシウムを含有する請求項１〜７のいずれかに記載の組成物。
【請求項９】
組成物のｐＨが少なくとも７．０である請求項１〜８のいずれかに記載の組成物。
【請求項１０】
歯磨剤のｐＨがｐＨ９．４〜ｐＨ１０．０の範囲にある請求項９記載の組成物。
【請求項１１】
炭酸カルシウムが組成物の重量の２５％〜３５重量％の範囲の量で存在する請求項１〜１０のいずれかに記載の組成物。
【請求項１２】
研磨剤シリカが組成物の重量の３％〜２５重量％の範囲の量で存在する請求項１〜１１のいずれかに記載の組成物。
【請求項１３】
シリカが吸油量レベル約４０〜１５０ｃｃ／１００ｇおよびアインレーナー摩耗３ｍｇ損失／１００，０００回転以上を有するシリカを含有する請求項１〜１２のいずれかに記載の組成物。
【請求項１４】
炭酸カルシウムの量：研磨剤シリカの量の重量比は、１：２〜２：１、３：４〜４：３、５：６〜６：５、９：１０〜１０：９および１：１からなる群から選択される範囲にある請求項１〜１３のいずれかに記載の組成物。
【請求項１５】
更に界面活性剤、減感剤、ホワイトニング剤、歯石コントロール剤、バインダー、増粘剤、洗剤、接着剤、泡モジュレーター、ｐＨ変性剤、口腔フィール剤、甘味料、フレーバーラント、着色剤、防腐剤、湿潤剤、フッ化物原料およびそれらの組合せからなる群から選択された少なくとも１つの付加的な成分を含有する請求項１〜１４のいずれかに記載の組成物。
【請求項１６】
請求項１〜１５のいずれかに記載の組成物を含有するオーラルケアキット。
【請求項１７】
エナメル質の表面に適用することにより使用する請求項１〜１５のいずれかに記載の組成物。
【請求項１８】
歯のホワイトニングおよびエナメル質の強化における組成物１〜１５のいずれかに記載の組成物の使用。
【手続補正書】
【提出日】平成28年8月12日(2016.8.12)
【手続補正１】
【補正対象書類名】特許請求の範囲
【補正対象項目名】全文
【補正方法】変更
【補正の内容】
【特許請求の範囲】
【請求項１】
コンピュータによって実行され、複数の実行可能なモジュールを有するツールにテクニカルサポートを提供する方法であって、各モジュールはステージを含み、前記方法は、
エラーメッセージを読取り、そこからエラーコードを取得することと、
プロジェクトディレクトリをサーチして、前記複数の実行可能なモジュールのうちの失敗したモジュールを示す第１のレポートを取得することとを含み、
前記第１のレポートは、前記エラーメッセージに関連付けられ、さらに、
前記第１のレポートから前記失敗したモジュールの前記ステージのうちの失敗したステージを識別することと、
前記エラーメッセージについてのケース照会を準備することとを含み、前記ケース照会は、前記失敗したステージおよびエラーコードを識別し、さらに、
前記失敗したステージおよび前記エラーコードと一致するエントリについてドキュメントをサーチすることを含み、前記ドキュメント内の各エントリは、前記エラーコードに関連付けられたステージ、エラーコード、データベースへのリンクを特定し、さらに、
エントリが前記失敗したステージおよびエラーコードと一致した場合、一致するエントリをウィンドウに表示することと、
前記失敗したステージおよびエラーコードと一致するエントリがない場合、エラーコードおよびエラーが現在対処されていることを示す情報へのリンクを含むエントリを前記ドキュメント内に作成することとを含み、
読取ること、サーチすること、前記失敗したステージを識別すること、ケース照会を準備すること、サーチすること、表示すること、および作成することは、情報取扱システムによって行なわれる、方法。
【請求項２】
前記ケース照会に応じて取出されたドキュメントの一部分を格納することをさらに含み、前記一部分は、前記失敗したステージに関連付けられ、さらに、
前記エラーコードを用いて前記一部分をサーチすることを含む、請求項１に記載の方法。
【請求項３】
前記コンピュータはメモリを含み、
前記ツールによって処理されている要素を、前記エラーメッセージを分類することによりエラーの発生元であるとして識別することと、
完了したモジュールを示す第２のレポートを開くことと、
前記発生元を用いて前記第２のレポートをサーチすることと、
前記第２のレポートにおいてそのサーチから見つかった前記発生元を有する警告を前記メモリに格納することと、
前記一部分においてそのサーチから見つかった前記エラーコードの一致するエントリを前記メモリに格納することと、
前記警告および前記一致するエントリをウィンドウに表示するために組合せることと、
前記警告および前記一致するエントリを前記ウィンドウに表示することとをさらに含む、請求項２に記載の方法。
【請求項４】
完了したモジュールを示す第２のレポートを開くことと、
前記発生元を用いて前記第２のレポートをサーチすることと、
前記第２のレポートのサーチからの各一致を格納することとをさらに含む、請求項３に記載の方法。
【請求項５】
完了したモジュールを示す第２のレポートを開くことと、
前記発生元を用いて前記第２のレポートをサーチすることと、
前記第２のレポートにおいてそのサーチから見つかった前記発生元を有する警告を格納することと、
エントリが前記失敗したステージおよびエラーコードと一致しない場合、前記作成されたエントリに前記警告を追加することとをさらに含む、請求項３または４に記載の方法。
【請求項６】
前記作成されたエントリについてのタイトルを生成することをさらに含み、前記タイトルは、前記失敗したステージに関連付けられた前記失敗したモジュールの名前および位置を含み、さらに、
前記作成されたエントリに前記タイトルを付加することをさらに含む、請求項１〜４のうちいずれか１項に記載の方法。
【請求項７】
前記作成されたエントリをネットワーク上でユーザフォーラムアドレスおよびテクニカルサポートアドレスの双方に提供することをさらに含む、請求項１〜４のうちいずれか１項に記載の方法。
【請求項８】
複数の実行可能なモジュールを有するツールにテクニカルサポートを提供するためのシステムであって、各モジュールはステージを含み、前記システムは、
ドキュメントをオンラインでホストするための第１のサーバを備え、前記ドキュメントは、複数のセクションおよび前記複数のセクションのための複数のサブセクションを含み、
前記複数のサブセクションは、１つ以上のエラーレコードに関連付けられ、
前記１つ以上のエラーレコードは、前記複数のサブセクション下で生じることができる１つ以上のエラーと関連して前記１つ以上のエラーコードに関連付けられ、さらに、
複数のデータベースをホストするための少なくとも第２のサーバを備え、前記第２のサーバは、前記第１のサーバに通信可能に結合されており、
前記１つ以上のエラーレコードは、前記１つ以上のエラーを解決するための関連情報をそこからフェッチするために、前記複数のデータベースのうちの少なくとも１つへの少なくとも１つのリンクを有し、
前記第１のサーバは、クライアントからのケース照会の受信に応じて前記ドキュメントをサーチするようにプログラムされ、前記ケース照会は、前記複数のモジュールのうちの１つの失敗したステージおよびエラーコードを識別し、
前記第１のサーバは、前記サブセクションのうちの１つのサブセクションのコピーを、前記１つのサブセクションと一致する前記ケース照会に応じて作成するようにプログラムされ、
前記第１のサーバは、前記クライアントに前記１つのサブセクションのコピーを送信するようにプログラムされる、システム。
【請求項９】
前記第１のサーバは、前記ドキュメントを更新してｗｅｂｃａｓｅについてのエントリを作成するようにプログラムされる、請求項８に記載のシステム。
【請求項１０】
前記ｗｅｂｃａｓｅは、前記複数のセクションのうちの１つのセクションと、前記複数のサブセクションのうちの１つのサブセクションと、前記１つ以上のエラーコードのうちの１つのエラーコードを有するエラーメッセージとを示す、請求項９に記載のシステム。
【請求項１１】
前記ｗｅｂｃａｓｅはさらに、
前記複数のデータベースのうちの１つ以上におけるテクニカルサポートリクエストへの第１のリンクと、
前記複数のデータベースのうちの１つ以上におけるコミュニティフォーラムポストへの第２のリンクとを含む、請求項１０に記載のシステム。
【請求項１２】
前記ｗｅｂｃａｓｅはさらに、前記複数のデータベースのうちの１つ以上におけるドキュメンテーションへの第３のリンクを含む、請求項１１に記載のシステム。
【手続補正書】
【提出日】平成28年8月23日(2016.8.23)
【手続補正１】
【補正対象書類名】明細書
【補正対象項目名】０１０５
【補正方法】変更
【補正の内容】
【０１０５】
ある態様では、式ＩＩＩ：
【化８】
2016503300.tif 000001
［式中、
Ｂｘは、複素環式塩基部分であり；
Ｔａ及びＴｂは、それぞれ独立して、Ｈ、ヒドロキシル保護基、複合体基、反応性リン基、リン部分、又は支持媒体への共有結合であり；
Ｚｂは、Ｃ１−Ｃ６アルキル、Ｃ２−Ｃ６アルケニル、Ｃ２−Ｃ６アルキニル、置換されているＣ１−Ｃ６アルキル、置換されているＣ２−Ｃ６アルケニル、置換されているＣ２−Ｃ６アルキニル、又は置換されているアシル（Ｃ（＝Ｏ）−）である］
を有する二環式ヌクレオシド。